(57)【特許請求の範囲】
【請求項１】
一端が開口した絶縁キャップ内で外皮が剥離された複数の被覆付導線が電気的に接続される閉端接続子とともに使用され、
前記閉端接続子の絶縁キャップ内を防水するための閉端接続子防水カバーであって、
前記閉端接続子防水カバーは伸縮性材料で形成され、
底壁と側壁とを有するカバー本体部、および、カバー本体部の底壁から側壁と反対側に延びる少なくとも３本の脚部からなり、
前記カバー本体部の側壁は前記絶縁キャップが側壁の内側に挿入されたときに拡張して絶縁キャップの開口の外周面と密着する内径となるように形成され、
各脚部は中空に形成され、底壁側が開口するとともに先端側が閉じてあり、さらに脚部の内径は先端側が底壁側より細くなるように多段円筒空間に形成されることを特徴とする閉端接続子防水カバー。
【請求項２】
一端が開口した絶縁キャップ内で外皮が剥離された複数の被覆付導線が電気的に接続される閉端接続子とともに使用され、
前記閉端接続子の絶縁キャップ内を防水するための閉端接続子防水カバーであって、
前記閉端接続子防水カバーは伸縮性材料で形成され、
底壁と側壁とを有するカバー本体部、および、カバー本体部の底壁から側壁と反対側に延びる２本の脚部からなり、
前記カバー本体部の側壁は前記絶縁キャップが側壁の内側に挿入されたときに拡張して絶縁キャップの開口の外周面と密着する内径となるように形成され、
各脚部は中空に形成され、底壁側が開口するとともに脚部の内径は先端側が底壁側より細くなるように多段円筒空間に形成されることを特徴とする閉端接続子防水カバー。
【請求項３】
一端が開口した絶縁キャップ内で外皮が剥離された複数の被覆付導線が電気的に接続される閉端接続子の防水方法であって、
伸縮性材料で形成され、底壁と側壁とを有するカバー本体部、および、カバー本体部の底壁から側壁と反対側に延びる少なくとも３本の脚部とからなり、
各脚部は中空に形成され、底壁側が開口するとともに先端側が閉じてあり、脚部の内径は先端側が底壁側よりも細くなるように多段円筒空間に形成された閉端接続子防水カバーを用意し、
絶縁キャップ内に挿入する被覆付導線の本数および被覆付導線の外皮の外径に応じて、前記脚部の対応する内径位置を切断し、切断した脚部の円筒空間にそれぞれ被覆付導線を密着するようにして貫通させ、
絶縁キャップの開口をカバー本体部の側壁の内側に挿入して側壁を拡張させることで絶縁キャップの開口の外周面と閉端接続子カバーの側壁内周面とを密着させて防水を行う閉端接続子の防水方法。
【請求項４】
一端が開口した絶縁キャップ内で外皮が剥離された２本の被覆付導線が電気的に接続される閉端接続子の防水方法であって、
伸縮性材料で形成され、底壁と側壁とを有するカバー本体部、および、カバー本体部の底壁から側壁と反対側に延びる２本の脚部とからなり、
各脚部は中空に形成され、底壁側が開口するとともに脚部の内径は先端側が底壁側よりも細くなるように多段円筒空間に形成された閉端接続子防水カバーを用意し、
絶縁キャップ内に挿入する２本の被覆付導線の外皮の外径に応じて、前記脚部の対応する内径位置を切断し、切断した脚部の円筒空間にそれぞれ被覆付導線を密着するようにして貫通させ、
絶縁キャップの開口をカバー本体部の側壁の内側に挿入して側壁を拡張させることで絶縁キャップの開口の外周面と閉端接続子カバーの側壁内周面とを密着させて防水を行う閉端接続子の防水方法。
【発明の詳細な説明】
【技術分野】
【０００１】
本発明は、複数本の被覆付導線を閉端接続子内で電気的に接続するときに閉端接続子内を防水状態を維持するために用いる閉端接続子防水カバーおよびこれを用いた防水方法に関する。
【背景技術】
【０００２】
電気機器類および機具等の電気配線では、２，３本の被覆付導線を電気的に接続し、接続部分の外側を絶縁被覆する作業が行われるが、その際に作業性を良くするとともに確実な絶縁被覆を行うため、閉端接続子が用いられている（特許文献１参照）。
図６は２本の被覆付導線を絶縁された閉端接続子で接続するときの斜視図である。被覆付導線１，２は、それぞれ、芯線１ａ，２ａが露出するように、端部近傍で外被１ｂ，２ｂが剥離され、外側が樹脂製の絶縁キャップ４で絶縁された閉端接続子６の導体金属製のスリーブ５に、剥離された部分が挿入される。そして閉端接続子６の外側からスリーブ５の部分を圧着工具で押圧することにより２本の導線が確実に導通するようにしている。
【０００３】
このような閉端接続子６を防水構造にするときは、圧着後に絶縁キャップの開口部分からシール材を注入して防水処理を行うようにしている。
【０００４】
また、使用するワイヤ本数、ワイヤ外径が予め定まっている自動車用のワイヤハーネスでは、防水処理に時間をかけず、確実に防水できるようにするため、多数本の電線の先端側を防水ゴム蓋に穿設した複数の貫通孔にそれぞれ貫通させ、かつ、貫通孔の内周面と各電線の絶縁被覆の外周面との間を密着させてシールするようにした防水ジョイント部を形成し、絶縁キャップの開口端内側に当該防水ゴム蓋を嵌合してシールする方法が開示されている（特許文献２参照）。
【先行技術文献】
【特許文献】
【０００５】
【特許文献１】特開２０００−２０８２２９号公報
【特許文献２】特開２００９−１４６７７１号公報
【発明の概要】
【発明が解決しようとする課題】
【０００６】
防水のために、圧着後に絶縁キャップの開口部分からシール材を注入して防水処理を行う方法では、シール材を注入する作業に手間を要することになる。また、シール材を注入後、硬化し終えるまでに一定の待ち時間が必要となるため、防水作業に時間を要することになる。
一方、特許文献２に記載されるような防水ゴム蓋を用いて防水ジョイント部を形成する方法は、防水作業に時間を要しない点では優れている。しかしながら、防水ゴム蓋には貫通孔が形成されているため、使用するワイヤの本数を貫通孔の数に一致させる必要がある。また、電線の径を貫通孔の径に一致させておく必要もある。そのため、使用するワイヤ本数、ワイヤ外径について変更することができない。したがって使用本数やワイヤ外径が一定である自動車用のワイヤハーネスの用途には適しているが、一般の電気機器類および機具等の電気配線のように電線本数や電線外径が機種により異なる場合には、特許文献２に記載の防水ゴム蓋は利用することができない。
【０００７】
そこで、本発明は状況に応じて接続する電線本数や電線外径が異なる電気配線において閉端接続子を使用する際に、防水処理が簡単にできる閉端接続子用の防水カバーおよびこれを用いた防水方法を提供することを目的とする。
【課題を解決するための手段】
【０００８】
上記課題を解決するためになされた本発明の閉端接続子防水カバーは、一端が開口した絶縁キャップ内で外皮が剥離された複数の被覆付導線が電気的に接続される閉端接続子とともに使用され、閉端接続子の絶縁キャップ内を防水するための閉端接続子防水カバーであって、以下の構成を有する。すなわち、閉端接続子防水カバーは伸縮性材料で形成され、防水カバーは底壁と側壁とを有するカバー本体部と、カバー本体部の底壁から側壁と反対側に延びる少なくとも３本の脚部とからなる。カバー本体部の側壁は、絶縁キャップが側壁の内側に挿入されたときに側壁が拡張して絶縁キャップの開口の外周面と密着することができる内径にしてある。各脚部は中空に形成されるとともに底壁側は開口し先端側が閉じてあり、さらに脚部の内径は先端側が底壁側より細くなるように多段円筒空間に形成される。
【０００９】
また、上記課題を解決するためになされた本発明の閉端接続子の防水方法は、一端が開口した絶縁キャップ内で外皮が剥離された複数の被覆付導線が電気的に接続される閉端接続子の防水方法であって、以下の構成を有する。すなわち、伸縮性材料で形成され、底壁と側壁とを有するカバー本体部、および、カバー本体部の底壁から側壁と反対側に延びる少なくとも３本の脚部からなり、各脚部は中空に形成されるとともに底壁側が開口し先端側が閉じてあり、脚部の内径は先端側が底壁側よりも細くなるように多段円筒空間に形成された閉端接続子防水カバーが用意される。そして、絶縁キャップ内に挿入される被覆付導線の本数および被覆付導線の外皮の外径に応じて、脚部の対応する内径位置を切断し、切断した脚部の円筒空間にそれぞれ被覆付導線を密着させた状態で貫通させる。絶縁キャップの開口をカバー本体部の側壁の内側に挿入して側壁を拡張させることで絶縁キャップの開口の外周面と閉端接続子防水カバーの側壁内周面とを密着させる。これにより閉端接続子の防水を行う。
【発明の効果】
【００１０】
本発明の閉端接続子防水カバーおよびこれを用いた防水方法によれば、閉端接続子内に挿入して接続しようとする被覆付導線の本数に合わせて切断する脚部の数を決定し、さらに被覆付導線の外径が太いときはカバー本体部の底壁に近い側で脚部を切断し、被覆付導線の外形が細いときはカバー本体部から離れた脚部先端に近い側で脚部を切断するようにして、脚部の切断位置を調整することで、被覆付導線の外径に合わせた内径の孔を脚部に形成して導線を貫通させるので、被覆付導線の本数だけ脚部に貫通孔が形成され、各被覆付導線の外径に合わせた防水カバーにすることができ、水分の浸入を確実に防ぐことができる。
【００１１】
（その他の課題を解決するための手段および効果）
また、別の観点からなされた本発明の他の実施形態である閉端接続子防水カバーは、一端が開口した絶縁キャップ内で外皮が剥離された複数の被覆付導線が電気的に接続される閉端接続子とともに使用され、閉端接続子の絶縁キャップ内を防水するための閉端接続子防水カバーであって、閉端接続子防水カバーは伸縮性材料で形成され、底壁と側壁とを有するカバー本体部、および、カバー本体部の底壁から側壁と反対側に延びる２本の脚部からなり、カバー本体部の側壁は絶縁キャップが側壁の内側に挿入されたときに拡張して絶縁キャップの開口の外周面と密着する内径となるように形成され、各脚部は中空に形成され、底壁側が開口するとともに脚部の内径は先端側が底壁側より細くなるように多段円筒空間に形成されるようにしてある。
【００１２】
また、別の観点からなされた本発明の他の実施形態である閉端接続子防水カバーの防水方法は、一端が開口した絶縁キャップ内で外皮が剥離された２本の被覆付導線が電気的に接続される閉端接続子の防水方法であって、伸縮性材料で形成され、底壁と側壁とを有するカバー本体部、および、カバー本体部の底壁から側壁と反対側に延びる２本の脚部とからなり、各脚部は中空に形成され、底壁側が開口するとともに脚部の内径は先端側が底壁側よりも細くなるように多段円筒空間に形成された閉端接続子防水カバーを用意し、絶縁キャップ内に挿入する２本の被覆付導線の外皮の外径に応じて、前記脚部の対応する内径位置を切断し、切断した脚部の円筒空間にそれぞれ被覆付導線を密着するようにして貫通させ、絶縁キャップの開口をカバー本体部の側壁の内側に挿入して側壁を拡張させることで絶縁キャップの開口の外周面と閉端接続子カバーの側壁内周面とを密着させて防水を行うようにしている。
この場合、脚部の先端は閉じていてもよいが、必ずしも閉じている必要はなく、使用が想定される最小径の被覆付導線に対し密着させることができる径の孔を設けておくようにすることもできる。
【００１３】
すなわち、接続する被覆付導線の本数は２本に限られているが、使用する被覆付導線の外径が状況に応じて異なる電気工事の際に、被覆付導線の外径が太いときはカバー本体部の底壁に近い側で脚部を切断し、被覆付導線の外形が細いときはカバー本体部から離れた脚部先端に近い側で脚部を切断するかあるいは当初から設けてある孔を通すようにして、脚部の貫通孔の径を調整することで、被覆付導線の外径に合わせた内径の孔を脚部に形成して導線を貫通させる。これにより、接続する本数が２本の場合に、各被覆付導線の外径に合わせた防水カバーにすることができ、水分の浸入を確実に防ぐことができる。
【図面の簡単な説明】
【００１４】
【図１Ａ】本発明の一実施形態である閉端接続子防水カバーの構成を示す図であり、（ａ）は正面図、（ｂ）は側面図、（ｃ）はＡ−Ａ’断面図である。
【図１Ｂ】（ｄ）は図１Ａに示した閉端接続子防水カバーの構成を示す斜視図である。
【図２】図１の閉端接続子防水カバーの使用方法を説明する図であり、（ａ）は外皮を剥離した状態、（ｂ）は閉端接続子を圧着した状態を示す図である。
【図３】絶縁キャップを被せて２本の電線を圧着した他の実施例を示す図である。
【図４】絶縁キャップを被せて３本の電線を圧着した他の実施例を示す図である。
【図５】本発明の他の一実施形態である閉端接続子防水カバーの構成を示す図であり、（ａ）は正面図、（ｂ）は側面図、（ｃ）はＢ−Ｂ’断面図である。
【図６】２本の被覆付導線を閉端接続子で接続する状態を示す斜視図である。
【発明を実施するための形態】
【００１５】
以下、本発明にかかる閉端接続子防水カバーの詳細について図面を用いて説明する。本発明の閉端接続子防水カバーは、一端側に開口が設けられた絶縁キャップ内で複数の被覆付導線を電気的に接続する閉端接続子（例えば図６参照）とともに使用される。
したがって、以下の説明では、図６で説明した閉端接続子６を防水する場合を具体例にして説明する。なお、本発明は必ずしも以下に説明する実施形態のみに特定されるものではなく、本発明の目的が達成され、本発明の趣旨を逸脱しない範囲内で適宜修正、変更できることは言うまでもない。
【００１６】
図１Ａおよび図１Ｂは、本発明の一実施形態である閉端接続子防水カバーの構成を示す図であり、図１（ａ）は正面図、図１（ｂ）は側面図、図１（ｃ）はＡ−Ａ’断面図、図１（ｄ）は斜視図である。
【００１７】
この閉端接続子防水カバー１１は、伸縮性を有するゴム材で形成され、底壁１２と側壁１３とを有するカバー本体部１４、および、カバー本体部１４の底壁１２から側壁１３とは反対側に形成される複数本の脚部１５とからなる。脚部１５の本数は閉端接続子６（図６）を用いて電気的に接続する被覆付導線の最大想定本数にしてある。具体的には、通常は２本〜５本程度にすることでコンパクトな防水カバーにしてある。ここでは３本の脚部を有する例を示している。
【００１８】
カバー本体部１４の底壁１２と側壁１３とに囲まれる内空間Ｕは、これと同時に使用する閉端接続子６の絶縁キャップ４（図６）が開口１８から挿入される空間にしてあり、絶縁キャップ４が確実に密着できるように底壁１２から遠ざかり開口１８に近づくにつれて側壁１３の径が小さくなるテーパ状に形成してある。
【００１９】
側壁１３とは反対側に形成される３本の脚部１５は、それぞれ底壁１２との接続部分に開口１６が形成されている。脚部１５の内部は中空（多段円筒空間）に形成され、脚部１５の先端側は閉塞端１７としてある。
脚部１５の内径は底壁１２に近い側が太く、先端側が細くなるように太さが多段円筒空間にしてある。本実施例では３段の異なる径にしてある。すなわち、大径部１５ａの径をａ、中径部１５ｂの径をｂ、小径部１５ｃの径をｃとして、ａ＞ｂ＞ｃの関係が成り立つようにしてある。大径部１５ａ，中径部１５ｂ、小径部１５ｃは、それぞれの内径に対応する被覆付導線を挿入したときに密着できる寸法になっている。
そして、脚部１５がゴム材で形成されているので、ハサミやカッタで脚部１５を所望の位置で切断することにより、切断位置に形成されている内径（ａ，ｂ，ｃのいずれか）の孔が形成されるようにしてある。
【００２０】
なお、脚部１５の外形状（３本用）は、大径部１５ａについては３本の脚部を合体させて断面が略正三角形にしてあり、中径部１５ｂは僅かな間隙で３本に分離してあり、小径部１５ｃは中径部分１５ｂより少し広い間隙で分離するようにしてある。
【００２１】
次に、上述した閉端接続子防水カバー１１の使用方法について説明する。ここでは、小径の被覆付導線２１と中径の被覆付導線２２とを１本ずつ接続する場合を例に説明する。小径の被覆付導線２１は小径部１５ｃにおいて密着させることができる径であり、中径の被覆付導線２２は中径部１５ｂにおいて密着させることができる径であるものとする。
【００２２】
この場合、図２（ａ）に示すように、３本の脚部１５のうち、１本の脚部１５は小径部１５ｃ、１本の脚部は中径部１５ｂで切断し、残り１本の脚部１５は切断せずに閉塞端１７を残したままにする。小径部１５ｃで切断した脚部の孔３１に被覆付導線２１を貫通させ、中径部１５ｂで切断した脚部１５の孔３２に被覆付導線２２を貫通させる。そして被覆付導線２１，２２の端部２１ａ，２２ａを、カバー本体部１４の開口１８の外側まで引き出して、外皮を剥離して芯線を露出させ、閉端接続子６のスリーブ５の（図６）位置に剥離部分がくるように調整する。
【００２３】
続いて、図２（ｂ）に示すように、閉端接続子６の絶縁キャップ４を開口１８から内空間Ｕに嵌め込み、圧着工具（不図示）でスリーブ５の外側を圧着する。以上の手順により、閉端接続子６と閉端接続子防水カバー１１とは密着され、内部が防水状態になる。
【００２４】
図３は本発明の他の実施形態を示す図である。本実施形態では中径の被覆付導線２２を２本接続する場合を示している。中径の被覆付導線２２は中径部１５ｂにおいて密着させることができる径であるので、３本の脚部１５のうち、２本の脚部１５は中径部１５ｂで切断し、残り１本の脚部１５は切断せずに閉塞端１７を残したままにしてある。中径部１５ｂで切断した２本の脚部１５の孔３２にそれぞれ被覆付導線２２を貫通してある。
そして図２（ｂ）と同様に、閉端接続子６の絶縁キャップ４（図６）を開口１８から内空間Ｕに嵌め込み、圧着工具（不図示）でスリーブ５の外側を圧着する。以上の手順により、閉端接続子６と閉端接続子防水カバー１１とは密着され、内部が防水状態になる。
【００２５】
図４は本発明の他の実施形態を示す図である。本実施形態では、小径の被覆付導線２１を３本接続する場合を示している。小径の被覆付導線２１は小径部１５ｃにおいて密着させることができる径であるので、３本の脚部１５をそれぞれ小径部１５ｃで切断する。切断した３本の脚部１５の孔３１にそれぞれ被覆付導線２１を貫通してある。
そして図２（ｂ）と同様に、閉端接続子６の絶縁キャップ４（図６）を開口１８から内空間Ｕに嵌め込み、圧着工具（不図示）でスリーブ５の外側を圧着する。以上の手順により、閉端接続子６と閉端接続子防水カバー１１とは密着され、内部が防水状態になる。
【００２６】
以上、径の異なる２本の被覆付導線を接続する場合（図２）、同径の２本の被覆付導線を接続する場合（図３）、同径の３本の被覆付導線を接続する場合（図４）を説明したが、いずれも同じ閉端接続子防水カバー１１を一種類用意しておけば、本数、被覆付導線の外径寸法に合わせて脚部の切断場所を調整することにより、電気機器類および機具等の電気配線時に防水処理を行うことができる。
【００２７】
（変形実施例）
上述した実施例では２本または３本の導線の電気接続に利用することができる。一方、配線内容によって接続する被覆付導線の径は機種により異なるが、２本ずつしか電気接続を行わない場合が多々ある。その場合には、脚部を２本にした専用の閉端接続子防水カバーを用いることができる。
【００２８】
図５は本発明の他の一実施形態である閉端接続子防水カバー１１ａの構成を示す図であり、図５（ａ）は正面図、図５（ｂ）は側面図、図５（ｃ）はＢ−Ｂ’断面図である。図において、図１と同じものについては同符号を付すことにより、説明を省略する。脚部が２本の場合は、必ずその２本とも使用することになるので、脚部１５の先端側は閉塞部１７に変えて、開口１９が形成してある。ただし、この場合も当初は閉塞部１７にしておき、使用時に切断するようにしてもよい。そして、接続する２本の被覆付導線の径に応じて、大径部１５ａ、中径部１５ｂ、小径部１５ｃのいずれかを切断して形成した孔を用いることにより（あるいは開口１９を利用することにより）、同様の手順で閉端接続用防水カバー１１ａを取り付けることができる。
【００２９】
なお、上記実施形態では脚部１５は内径を３段が変化するようにしているが、段数を増やしたり、減らしたりしてもよい。
【産業上の利用可能性】
【００３０】
本発明は、電気機器類および機具等の電気配線で用いる閉端接続子用の防水カバーとして利用される。
【符号の説明】
【００３１】
４  絶縁キャップ
５  スリーブ
６  閉端接続子
１１，１１ａ  閉端接続子用防水カバー
１２  底壁
１３  側壁
１４  カバー本体部
１５  脚部
１５ａ  大径部
１５ｂ  中径部
１５ｃ  小径部
１６  開口
１７  閉塞部
２１，２２  被覆付導線
２１ａ，２２ａ  端部
３１，３２  孔
【図１Ａ】
0005580101.tif 000002
【図１Ｂ】
0005580101.tif 000003
【図２】
0005580101.tif 000004
【図３】
0005580101.tif 000005
【図４】
0005580101.tif 000006
【図５】
0005580101.tif 000007
【図６】
0005580101.tif 000008